(57)【特許請求の範囲】
【請求項１】
表示部に画像を表示する表示装置と、
表面積が前記表示部の面積の１．２倍以上である透明板と、
前記表示装置を固定支持する支持部材とを有し、
前記表示装置は、前記表示部が前記透明板に対向して配置され、少なくとも一部が前記透明板に当接し、
前記支持部材は、その一端が、前記表示装置の、前記透明板に対向する面とは反対側の面の一部に固定され、他端が前記透明板の背面に固定されることを特徴とする表示装置付き透明板。
【請求項２】
表示部に画像を表示する表示装置と、
表面積が前記表示部の面積の１．２倍以上である透明板と、
前記表示装置を固定支持する支持部材とを有し、
前記表示装置は、前記表示部が前記透明板に対向して配置され、少なくとも一部が前記透明板に当接し、
前記支持部材は、その一端が、前記透明板が取り付けられる建物の天井に固定され、他端が、前記表示装置の前記天井側の端面に前記表示装置を吊り下げるように支持することを特徴とする表示装置付き透明板。
【請求項３】
前記表示装置は、周縁部分が接着部材により前記透明板に接合されている
ことを特徴とする請求項１に記載の表示装置付き透明板。
【請求項４】
前記支持部材は、少なくとも一部が前記透明板に形成されている凹部又は貫通孔に固定されている
ことを特徴とする請求項１または３に記載の表示装置付き透明板。
【請求項５】
前記透明板は、前記表示装置の表示部に対向する領域を除く部分に着色層が設けられている
ことを特徴とする請求項１から４の何れか一項に記載の表示装置付き透明板。
【請求項６】
前記透明板は、前記表示装置の表示部に対向する領域に反射防止膜が設けられている
ことを特徴とする請求項１から５の何れか一項に記載の表示装置付き透明板。
【請求項７】
前記透明板と前記表示装置との間に、屈折率が前記透明板の屈折率の０．８倍〜１．３
倍である透明充填材が充填されている
ことを特徴とする請求項１から６の何れか一項に記載の表示装置付き透明板。
【請求項８】
前記表示装置と前記透明板との間に設けられているタッチパネルを有する
ことを特徴とする請求項１から７の何れか一項に記載の表示装置付き透明板。
【発明の詳細な説明】
【技術分野】
【０００１】
本発明は、表示装置付き透明板に関する。
【背景技術】
【０００２】
窓ガラスに取り付けられる窓用ディスプレイ装置が開示されている（例えば、特許文献１参照）。
【先行技術文献】
【特許文献】
【０００３】
【特許文献１】特開２００６−１３２２０６号公報
【発明の概要】
【発明が解決しようとする課題】
【０００４】
特許文献１に記載されている窓用ディスプレイ装置は、画像等を表示する画像表示面とは反対側の面が窓に接着される構成であり、画像表示面が窓に対向して配置される構成ではなかった。
【０００５】
本発明は上記に鑑みてなされたものであって、表示装置の表示部が透明板に対向して配置された表示装置付き透明板を提供することを目的とする。
【課題を解決するための手段】
【０００６】
本発明の一態様の表示装置付き透明板によれば、表示部に画像を表示する表示装置と、表面積が前記表示部の面積の１．２倍以上である透明板と、前記表示装置を固定支持する支持部材とを有し、前記表示装置は、前記表示部が前記透明板に対向して配置され、少なくとも一部が前記透明板に当接し、前記支持部材は、その一端が、前記表示装置の、前記透明板に対向する面とは反対側の面の一部に固定され、他端が前記透明板の背面に固定される。
【発明の効果】
【０００７】
本発明の実施形態によれば、表示装置の表示部が透明板に対向して配置された表示装置付き透明板が提供される。
【図面の簡単な説明】
【０００８】
【図１】第１の実施形態における表示装置付き透明板を例示する図である。
【図２】図１のＡ−Ａ断面概略図である。
【図３】第２の実施形態における表示装置付き透明板を例示する断面概略図である。
【図４】第２の実施形態における表示装置付き透明板を例示する背面斜視図である。
【図５】第２の実施形態における表示装置付き透明板を例示する断面概略図である。
【図６】第２の実施形態における表示装置付き透明板を例示する断面概略図である。
【図７】第３の実施形態における表示装置付き透明板を例示する断面概略図である。
【発明を実施するための形態】
【０００９】
以下、図面を参照して発明を実施するための形態について説明する。各図面において、同一構成部分には同一符号を付し、重複した説明を省略する場合がある。
【００１０】
［第１の実施形態］
図１は、第１の実施形態における表示装置付き透明板１００を例示する図である。また、図２は、図１のＡ−Ａ断面概略図である。
【００１１】
表示装置付き透明板１００は、図１及び図２に示すように、透明板１０、表示部３０ａに画像を表示する表示装置３０を有し、表示装置３０の少なくとも一部が透明板１０に当接するように構成されている。ここで、「当接」とは、表示装置３０が透明板１０に直に接している場合、表示装置３０が透明板１０に接着剤、粘着剤又は透明充填材を介して接している場合を含む。
【００１２】
なお、以下において、透明板１０の表示装置３０側の面を背面、透明板１０の表示装置３０とは反対側の面を前面として説明する。また、Ｘ方向は、表示装置付き透明板１００の短手方向、Ｙ方向は長手方向、Ｚ方向は厚さ方向である。
【００１３】
＜透明板＞
透明板１０は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。透明板１０は、複数のガラス板が貼り合わされた合わせガラスであってもよい。また、透明板１０は、表示装置３０の表示部３０ａの面積の１．２倍以上の表面積を有する。
【００１４】
透明板１０が無機ガラスである場合には、例えば化学強化処理又は物理強化処理等の表面強化処理が施されていてもよい。
【００１５】
また、透明板１０の前面には、図２に示すように、反射防止膜１３が設けられている。反射防止膜１３は、例えばシリケートや金属酸化物の薄膜であり、スパッタリング法、蒸着法、湿式コーティング法等により、透明板１０の表面に直接形成される。あるいは、反射防止膜１３は、フッ素樹脂などの低屈折率の樹脂薄膜を、粘着層などを介して透明板１０の表面に張り合わせることで形成される。特に最外層にフッ素樹脂を有する反射防止膜１３は、透明板１０に防汚性能や易清浄性を付与できるため好ましい。
【００１６】
反射防止膜１３は、少なくとも表示装置３０の表示部３０ａに対向する領域に設けられることが好ましい。このような反射防止膜１３によって反射が抑制され、外部から表示装置３０の表示部３０ａに表示される画像をより鮮明に見ることが可能になる。
【００１７】
なお、本実施形態における透明板１０は矩形であるが、矩形以外の任意の形状であってもよい。
【００１８】
（表示装置）
透明板１０の背面には、表示装置３０が設けられている。表示装置３０は、表示部３０ａが透明板１０に対向して配置され、周縁部分が接着部材としての接着剤１１により透明板１０に接合されている。なお、透明板１０と表示装置３０とを接合する接着部材は、接着剤１１に限られず、例えば両面粘着テープ等であってもよい。
【００１９】
表示装置３０は、例えば液晶ディスプレイ装置、有機ＥＬディスプレイ装置、プラズマディスプレイ装置等である。表示装置３０は、例えば不図示の記憶装置に記憶されている画像や、ネットワークを介して接続するコンピュータやサーバ等から送信される画像を表示部３０ａに表示する。
【００２０】
なお、透明板１０の背面には、表示装置３０が接合される部分を含む領域に着色層が設けられてもよい。着色層は、例えばセラミック顔料を含む塗料を用いたスクリーン印刷や、不透明なフィルムが貼合されることで形成され、透明板１０の前面側から接着剤１１による表示装置３０が接合されている部分が見えないように遮蔽する。
【００２１】
透明板１０と表示装置３０との接着部分が着色層により遮蔽されることで、表示装置付き透明板１００の意匠性が向上する。また、前面側から表示装置３０の表示部３０ａの外周縁が見えなくなるように着色層が設けられた場合には、表示部３０ａに表示される画像が、透明板１０の前面側に浮き上がって見えるような効果が得られる。
【００２２】
上記したように、着色層は、透明板１０と表示装置３０との接着部分及び表示装置３０の表示部３０ａの外周縁を覆うように設けられることが好ましく、表示装置３０の表示部３０ａに対向する部分を除いて透明板１０の全領域に設けられてもよい。
【００２３】
（透明充填材）
透明板１０と表示装置３０との間には、透明充填材１２が充填されている。透明充填材１２は、例えばアクリル系、ウレタン系、シリコン系等の樹脂である。透明充填材１２は、例えば屈折率が、透明板１０の屈折率に対して０．８倍〜１．３倍であることが好ましく、０．９３倍〜１．１２倍であることがより好ましい。
【００２４】
透明板１０と表示装置３０との間に透明充填材１２が充填されることで、表示装置３０の表示部３０ａが透明板１０の背面に写ることがなく、表示装置３０の表示部３０ａに表示される画像の視認性が向上する。
【００２５】
また、透明充填材１２は、硬化性樹脂組成物であってもよい。透明充填材１２が硬化性樹脂組成物である場合には、透明板１０の背面に未硬化の樹脂組成物を塗布して液晶パネル３１を配置した後、樹脂組成物を硬化させることで、液晶パネル３１を透明板１０に接合できる。
【００２６】
透明充填材１２は、２５℃におけるせん断弾性率が、例えば１０３Ｐａ〜１０７Ｐａであることが好ましく、１０４Ｐａ〜１０６Ｐａであることがより好ましい。特に、透明充填材１２の２５℃におけるせん断弾性率が１０４Ｐａ〜１０５Ｐａである場合には、表示装置３０と透明板１０との間に生じ得る空隙を比較的容易に消失させることができる。
【００２７】
透明充填材１２の２５℃におけるせん断弾性率が１０３Ｐａ以上の場合には、塗布された透明充填材１２の形状が維持され易くなる。したがって、塗布された透明充填材１２の厚さが比較的厚い場合であっても、透明充填材１２全体で厚さが均一に維持され、液晶パネル３１と透明充填材１２との界面に空隙が発生し難くなる。
【００２８】
また、透明充填材１２は、２５℃におけるせん断弾性率が１０４Ｐａ以上で変形が抑制され、２５℃におけるせん断弾性率が１０７Ｐａ以下で、表示装置３０と透明板１０との接合密着性が向上する。
【００２９】
透明充填材１２の厚さは、例えば０．０３ｍｍ〜２ｍｍが好ましく、０．１ｍｍ〜０．８ｍｍがより好ましい。透明充填材１２の厚さが０．０３ｍｍ以上であれば、透明板１０の前面から外力等が加わった際に、透明充填材１２が外力による衝撃を十分に低減し、液晶パネル３１を保護できる。また、液晶パネル３１と透明板１０との間に、透明充填材１２の厚さ未満の寸法の異物が混入しても、透明充填材１２の厚さが変化しないため、異物混入による視認性への影響が抑制される。また、液晶パネル３１の視認性が低下するため、透明充填材１２の厚さは２ｍｍ以下であることが好ましい。
【００３０】
以上で説明したように、第１の実施形態に係る表示装置付き透明板１００は、表示部３０ａが透明板１０に対向するように表示装置３０が配置され、透明板１０と表示装置３０との間には、透明充填材１２が充填されている。このような構成により、透明板１０の前面側から表示装置３０の表示部３０ａに表示される画像を見ることが可能になっている。
【００３１】
[第２の実施形態]
次に、第２の実施形態について図面に基づいて説明する。なお、既に説明した実施形態と同一構成部分についての説明は省略する。
【００３２】
第２の実施形態における表示装置付き透明板２００は、支持部材４０により表示装置３０が固定支持されている。
【００３３】
図３は、第２の実施形態における表示装置付き透明板２００を例示する断面概略図である。また、図４は、第２の実施形態における表示装置付き透明板２００を背面から見た斜視図である。
【００３４】
図３及び図４に示すように、表示装置３０は、透明板１０に固定されている支持部材４０により、表示部３０ａが透明板１０の背面に対向するように固定支持されている。
【００３５】
（支持部材）
支持部材４０は、図４に示すように、支持アーム４０ａ、透明板１０に固定される支持板４０ｂ、表示装置３０を支持する支持板４０ｃを有する。
【００３６】
支持アーム４０ａは、両端部が同一方向に屈曲した棒状部材であり、一端が支持板４０ｂに固定され、他端が支持板４０ｃに固定されている。支持板４０ｂは、例えば接着剤１１により、透明板１０の背面に固定されている。支持板４０ｃは、例えばネジ４１等により固定される表示装置３０を支持する。このような構成により、支持部材４０は、表示部３０ａが透明板１０に対向して配置されるように表示装置３０を支持する。
【００３７】
なお、支持部材４０は、本実施形態において例示される構成に限られず、表示装置３０を固定支持可能であれば異なる構成であってもよい。例えば、図５に示すように、支持部材４０の一端に設けられている圧入部４０ｄが、透明板１０に形成されている孔又は溝状の凹部１５に圧入及び接着等されることで、支持部材４０が透明板１０に固定される構成であってもよい。また、支持部材４０の圧入部４０ｄが、透明板１０に設けられている貫通孔に固定される構成であってもよい。
【００３８】
また、例えば透明板１０が窓ガラスである場合には、図６に示すように、支持部材４０は、一端が天井５０に固定され、他端が表示装置３０を吊り下げるように支持する構成であってもよい。このように、支持部材４０は、透明板１０が設けられている周囲の建材等に一部が固定され、表示装置３０を固定支持してもよい。
【００３９】
支持部材４０の構成に関わらず、表示装置３０は、表示部３０ａが透明板１０に対向して配置され、周縁部分が接着部材としての接着剤１１により透明板１０に接合されている。
【００４０】
また、透明板１０は、前面側から支持部材４０が見えなくなるように、少なくとも一方の面に着色層が設けられていることが好ましい。着色層が設けられることで、支持部材４０が固定されている部分が透明板１０の前面側から見えなくなるため、表示装置付き透明板２００の美観が保たれる。
【００４１】
また、透明板１０は、表示装置３０の外周縁及び表示部３０ａの外周縁を含む領域に、着色層が設けられていることが好ましい。着色層によって前面側から表示装置３０の表示部３０ａの外周縁が見えなくなることで、表示部３０ａに表示される画像が、透明板１０の前面側に浮き上がって見えるような効果が得られる。
【００４２】
以上で説明したように、第２の実施形態に係る表示装置付き透明板２００は、支持部材４０により、表示装置３０が透明板１０に固定支持されている。このような構成により、透明板１０の前面側から表示装置３０の表示部３０ａに表示される画像を見ることが可能になっている。
【００４３】
[第３の実施形態]
次に、第３の実施形態について図面に基づいて説明する。なお、既に説明した実施形態と同一構成部分についての説明は省略する。
【００４４】
図７は、第３の実施形態における表示装置付き透明板３００を例示する断面概略図である。
【００４５】
図７に示すように、第３の実施形態における表示装置付き透明板３００では、第１の実施形態と同様に、表示装置３０の周縁部分が接着剤１１により透明板１０の背面に接合されており、透明板１０と表示装置３０との間には、透明充填材１２が充填されている。また、第２の実施形態と同様の構成を有する支持部材４０によって表示装置３０が固定支持されている。
【００４６】
このように、接着剤１１により透明板１０に接合された状態で、支持部材４０に固定支持されることで、表示装置３０がより強固に透明板１０に固定される。そのため、表示装置付き透明板３００が、例えばＹ方向が鉛直方向に略平行になるように設置された場合や、透明板１０の背面が鉛直方向において下方になるように設置された場合であっても、表示装置３０が透明板１０から脱落する可能性が低減されている。
【００４７】
なお、支持部材４０の構成は、表示装置３０を透明板１０に固定支持可能であれば図７に例示される構成に限られず、例えば図５及び図６に例示される構成であってもよい。また、透明板１０の表示装置３０の表示部３０ａに対向する部分には反射防止膜１３が設けられていることが好ましい。
【００４８】
さらに、透明板１０は、表示装置３０の外周縁及び表示部３０ａの外周縁に対向する部分と、支持部材４０が固定される部分とを含む領域に、一方の面に着色層が設けられていることが好ましい。着色層が設けられることで、表示装置３０との接合部分及び支持部材４０が固定されている部分が透明板１０の前面側から見えなくなるため、表示装置付き透明板３００の美観が保たれる。
【００４９】
また、着色層によって前面側から表示装置３０の表示部３０ａの外周縁が見えなくなることで、表示部３０ａに表示される画像が、透明板１０の前面側に浮き上がって見えるような効果が得られる。
【００５０】
以上で説明したように、第３の実施形態に係る表示装置付き透明板３００は、接着剤１１及び支持部材４０により、表示装置３０が透明板１０に固定支持されている。このような構成により、透明板１０の前面側から表示装置３０の表示部３０ａに表示される画像を見ることが可能になっている。また、表示装置３０が透明板１０により強固に固定され、表示装置３０が透明板１０から脱落する可能性が低減されている。
【００５１】
以上、実施形態に係る表示装置付き透明板について説明したが、本発明は上記実施形態に限定されるものではなく、本発明の範囲内で種々の変形及び改良が可能である。
【００５２】
例えば、表示装置付き透明板は、透明板と表示装置との間に、タッチパネルを有してもよい。例えば表示装置付き透明板が店舗等に設置され、表示装置が様々な商品情報を表示する場合に、タッチパネル操作に応じて表示装置に顧客が必要とする情報を表示させることが可能になる。
【符号の説明】
【００５３】
１０  透明板
１１  接着剤
１２  透明充填材
１３  反射防止膜
２０  着色層
３０  表示装置
３０ａ  表示部
４０  支持部材
４０ａ  支持アーム
４０ｂ，４０ｃ  支持板
４０ｄ  挿入部
１００  表示装置付き透明板
【図１】
0006379383.tif 000002
【図２】
0006379383.tif 000003
【図３】
0006379383.tif 000004
【図４】
0006379383.tif 000005
【図５】
0006379383.tif 000006
【図６】
0006379383.tif 000007
【図７】
0006379383.tif 000008